(57)【要約】【課題】本願発明の課題は、カートンおよびカートンブランクを提供することである。【解決手段】このカートンは、重複関係に配設された内方パネルおよび外方パネルを備える少なくとも１つの複合壁部を備えるカートン。内方パネルおよび外方パネルは、ジョイントにより平坦面接触関係で共に接合され、ジョイントは、外方パネルの自由エッジに沿って画定された凹部と、凹部のエッジから延在して凹状エリアを少なくとも部分的に占める突出部とを備える。突出部は、内方パネルの外方表面に対して固定される固定タブを備え、突出部は、取外し可能部分をさらに備え、取外し可能部分は、取外し可能部分が固定タブおよび／または外方パネルから切り離される際に、固定タブが外方パネルから分離され得るように、外方パネルに対して固定タブを切離し可能に連結する。【選択図】図４
2014148357.tif 000002
【特許請求の範囲】
【請求項１】
重複関係に配設された内方パネルおよび外方パネルを備える少なくとも１つの複合壁部を備えるカートンであって、
前記内方パネルおよび前記外方パネルは、ジョイントにより平坦面接触関係で共に接合され、前記ジョイントは、前記外方パネルの自由エッジに沿って画定された凹部と、前記凹部のエッジから延在して前記凹部エリアを少なくとも部分的に占める突出部とを備え、
前記突出部は、前記内方パネルの外方表面に対して固定される固定タブを備え、前記突出部は、取外し可能部分をさらに備え、前記取外し可能部分は、前記取外し可能部分が前記固定タブおよび／または前記外方パネルから切り離される際に、前記固定タブが前記外方パネルから分離され得るように、前記外方パネルに対して前記固定タブを切離し可能に連結する、カートン。
【請求項２】
前記突出部は、前記凹部の下部エッジから延在する、請求項１に記載のカートン。
【請求項３】
前記突出部は、前記突出部の一方または両方の対向端部が前記外方パネルに対する連結から自由になるように、前記凹部よりも幅が小さい、請求項１または２に記載のカートン。
【請求項４】
前記取外し可能部分は、前記取外し可能部分の対向端部の少なくとも一方が、前記固定タブの対向端部の少なくとも一方を越えて突出することにより、前記取外し可能部分の引裂きを容易にするための係合タブを形成するように、前記固定タブよりも幅が大きい、請求項１から３のいずれか一項に記載のカートン。
【請求項５】
前記突出部は、前記外方パネルの自由端部とほぼ同一直線状に位置する自由エッジを備える、請求項１から４のいずれか一項に記載のカートン。
【請求項６】
前記外方パネルは、前記凹部に隣接して配設された自由エッジを備え、前記自由エッジは、前記外方パネルがその上に載り得る脚部を形成する、請求項１から５のいずれか一項に記載のカートン。
【請求項７】
前記外方パネルは、前記カートンの上部パネルと前記カートンのベースパネルとの間に延在する、請求項１から６のいずれか一項に記載のカートン。
【請求項８】
前記内方パネルは、前記カートンの上部パネルと前記カートンのベースパネルとの間に延在する、請求項１から７のいずれか一項に記載のカートン。
【請求項９】
トレイ部分と、前記トレイ部分の開口上部を閉鎖するためのカバー部分とをさらに備え、前記内方パネルは、前記トレイ部分により形成され、前記外方パネルは、前記カバー部分により形成される、請求項１から８のいずれか一項に記載のカートン。
【請求項１０】
前記トレイ部分は、ベースパネルと、対向し合う一対の側部パネルと、対向し合う一対の端部パネルとを備え、内方パネルが、少なくとも前記トレイ部分の前記側部パネルおよび前記端部パネルの一方によって形成される、請求項９に記載のカートン。
【請求項１１】
前記カバー部分は、上部パネルと、対向し合う一対の側部パネルと、対向し合う一対の端部パネルとを備え、前記外方パネルは、少なくとも前記カバー部分の前記側部パネルおよび前記端部パネルの一方により形成される、請求項９に記載のカートン。
【請求項１２】
前記取外し可能部分は、第１の脆弱切離しラインにより部分的に画定され、第２の脆弱切離しラインにより部分的に画定される、請求項１から９のいずれか一項に記載のカートン。
【請求項１３】
前記取外し可能部分の取外しにより、前記外方パネルと前記固定タブとの間に隙間が形成され、これにより、前記外方パネルのアクセス可能な自由エッジが作成され、前記トレイ部分からの前記カバー部分の分離が容易になる、請求項９から１２のいずれか一項に記載のカートン。
【請求項１４】
前記トレイ部分は、一方の端部パネルが他方の端部パネルよりも高さが小さくなるように、テーパ状になされる、請求項１０に記載のカートン。
【請求項１５】
前記カバー部分は、一方の端部パネルが他方の端部パネルよりも高さが小さくなるように、テーパ状になされる、請求項１１に記載のカートン。
【請求項１６】
前記内方パネルは、前記カバー部分がその上に載り得るレッジを形成する自由エッジを備える、請求項９から１５のいずれか一項に記載のカートン。
【請求項１７】
前記トレイ部分は、前記対向し合う一対の側部パネルの間に延在する補強部材を備える、請求項１０または１４に記載のカートン。
【請求項１８】
前記補強部材は、前記対向し合う一対の端部パネルの一方に対してヒンジ連結される、請求項１７に記載のカートン。
【請求項１９】
前記補強部材は、前記対向し合う一対の側部パネルのそれぞれに対してヒンジ連結された膠剤タブに対して固定される、請求項１７および１８に記載のカートン。
【請求項２０】
前記補強部材は、前記トレイ部分内に配設された１つまたは複数の物品を少なくとも部分的に越えて延在する、請求項１７から１９のいずれか一項に記載のカートン。
【請求項２１】
トレイ部分およびカバー部分をそれぞれ形成するための第１のブランクおよび第２のブランクの組合せであって、前記トレイ部分および前記カバー部分は、共に結合されることによりカートンを形成するように構成され、前記カートンは、前記カートンが組み立てられた状況にある場合に重複関係に配設される内方パネルおよび外方パネルを備える少なくとも１つの複合壁部を有し、前記内方パネルおよび前記外方パネルは、ジョイントにより平坦面接触関係において共に接合可能であり、前記ジョイントは、前記外方パネルの自由エッジに沿って画定された凹部と、前記凹部のエッジから延在して前記凹部エリアを少なくとも部分的に占める突出部とを備え、前記突出部は、前記内方パネルの外方表面に対して固定される固定タブを備え、前記突出部は、取外し可能部分をさらに備え、前記取外し可能部分は、前記取外し可能部分が前記固定タブおよび／または前記外方パネルから切り離される際に、前記固定タブが前記外方パネルから分離され得るように、前記外方パネルに対して前記固定タブを切離し可能に連結する、第１のブランクおよび第２のブランクの組合せ。
【発明の詳細な説明】
【技術分野】
【０００１】
本発明は、１つまたは複数の物品または製品を包装するためのカートン、およびカートンを形成するためのブランクに関し、より詳細には、限定するものではないが、店頭販売時に使用するためのディスプレイ装置へと容易に転換され得るカートンに関する。
【背景技術】
【０００２】
包装の分野においては、複数の一次製品容器を備えるパッケージを消費者に提供することがしばしば必要とされる。かかるマルチパックは、発送および流通にとって、ならびに販売促進情報の表示にとって、望ましい。コストおよび環境に関する配慮により、かかるカートンまたはキャリアは、可能な限り少量の材料から形成され、それらを形成するための材料の無駄を可能な限り減らすことが、必要となる。別の配慮すべき事項は、高重量の物品を保持および輸送するための包装の強度ならびにその安定性である。
【０００３】
製品の販売を促進するために店頭販売時に視覚的に注意を惹くディスプレイを実現することが望ましい。また、店頭販売へと製品を輸送するために形成されたカートンまたはマルチパックがディスプレイ装置へと容易に転換されることが望ましい。
【発明の概要】
【発明が解決しようとする課題】
【０００４】
本発明は、先行技術の問題を解消または少なくとも軽減することを目的とする。
【課題を解決するための手段】
【０００５】
本発明の第１の態様によれば、重複関係に配設された内方パネルおよび外方パネルを備える少なくとも１つの複合壁部を備えるカートンが提供される。内方パネルおよび外方パネルは、ジョイントにより平坦面接触関係で共に接合され、ジョイントは、外方パネルの自由エッジに沿って画定された凹部と、凹部のエッジから延在して凹状エリアを少なくとも部分的に占める突出部とを備える。突出部は、内方パネルの外方表面に対して固定される固定タブを備え、突出部は、取外し可能部分をさらに備え、取外し可能部分は、取外し可能部分が固定タブおよび／または外方パネルから切り離される際に、固定タブが外方パネルから分離され得るように、外方パネルに対して固定タブを切離し可能に連結する。
【０００６】
任意には、突出部は、凹部の下部エッジから延在する。
【０００７】
いくつかの実施形態においては、突出部は、突出部の一方または両方の対向端部が外方パネルに対する連結から自由になるように、凹部よりも幅が小さい。
【０００８】
任意には、取外し可能部分は、取外し可能部分の対向端部の少なくとも一方が、固定タブの対向端部の少なくとも一方を越えて突出することにより、取外し可能部分の引裂きを容易にするための係合タブを形成するように、固定タブよりも幅が大きい。
【０００９】
好ましくは、突出部は、外方パネルの自由端部とほぼ同一直線状に位置する自由エッジを備える。
【００１０】
より好ましくは、外方パネルは、凹部に隣接して配設された自由エッジを備え、自由エッジは、外方パネルがその上に載り得る脚部を形成する。
【００１１】
任意には、外方パネルは、カートンの上部パネルとカートンのベースパネルとの間に延在する。
【００１２】
いくつかの実施形態においては、内方パネルは、カートンの上部パネルとカートンのベースパネルとの間に延在する。
【００１３】
好ましくは、トレイ部分と、トレイ部分の開口上部を閉鎖するためのカバー部分とをさらに備え、内方パネルは、トレイ部分により形成され、外方パネルは、カバー部分により形成される。
【００１４】
トレイ部分は、ベースパネルと、対向し合う一対の側部パネルと、対向し合う一対の端部パネルとを備えてもよく、外方パネルが、少なくともカバー部分の側部パネルおよび端部パネルの一方によって形成されてもよい。
【００１５】
カバー部分は、上部パネルと、対向し合う一対の側部パネルと、対向し合う一対の端部パネルとを備えてもよい。
【００１６】
好ましくは、取外し可能部分は、第１の脆弱切離しラインにより部分的に画定され、第２の脆弱切離しラインにより部分的に画定される。
【００１７】
有利には、取外し可能部分の取外しにより、外方パネルと固定タブとの間に隙間が形成され、これにより、外方パネルの指でのアクセス可能な自由エッジが形成されまたは作成され、トレイ部分からのカバー部分の分離が容易になる。
【００１８】
好ましくは、トレイ部分は、一方の端部パネルが他方の端部パネルよりも高さが小さくなるように、テーパ状になされる。
【００１９】
好ましくは、カバー部分は、一方の端部パネルが他方の端部パネルよりも高さが小さくなるように、テーパ状になされる。
【００２０】
任意には、内方パネルは、カバー部分がその上に載り得る（ｒｅｓｔ）レッジを形成する自由エッジを備える。
【００２１】
任意には、トレイ部分は、対向し合う一対の側部パネルの間に延在する補強部材を備える。
【００２２】
いくつかの実施形態においては、補強部材は、対向し合う一対の端部パネルの中の１つに対してヒンジ連結される。
【００２３】
好ましくは、補強部材は、対向し合う一対の側部パネルのそれぞれに対してヒンジ連結された膠剤フラップまたは膠剤タブに対して固定される。
【００２４】
補強部材は、トレイ部分内に配設された１つまたは複数の物品を少なくとも部分的に越えて延在する。
【００２５】
本発明の第２の態様によれば、トレイ部分およびカバー部分をそれぞれ形成するためのブランクまたは第１のブランクおよび第２のブランクの組合せが提供される。トレイ部分およびカバー部分は、共に結合されることによりカートンを形成するように構成され、カートンは、カートンが組み立てられた状況にある場合に重複関係に配設される内方パネルおよび外方パネルを備える少なくとも１つの複合壁部を有し、内方パネルおよび外方パネルは、ジョイントにより平坦面接触関係において共に接合可能であり、ジョイントは、外方パネルの自由エッジに沿って画定された凹部と、凹部のエッジから延在して凹部エリアを少なくとも部分的に占める突出部とを備え、突出部は、内方パネルの外方表面に対して固定される固定タブを備え、突出部は、取外し可能部分をさらに備え、取外し可能部分は、取外し可能部分が固定タブおよび／または外方パネルから切り離される際に、固定タブが外方パネルから分離され得るように、外方パネルに対して固定タブを切離し可能に連結する。
【００２６】
本出願の範囲内において、前出の段落内に、特許請求の範囲内に、および／または以下の説明および図面内に示される、様々な態様、実施形態、例、特徴、ならびに代替形態は、個別にまたはそれらの任意の組合せにおいて利用され得ることが予期される。例えば、一実施形態に関連して説明される特徴は、特徴の不適合性がない限り、全ての実施形態に適用可能である。
【００２７】
以下、添付の図面を参照として、本発明の例示的な実施形態を説明する。
【図面の簡単な説明】
【００２８】
【図１】本発明の第１の実施形態による、カートンのカバー部分すなわち蓋部分を形成するためのブランクの上方からの平面図である。
【図２】本発明の第１の実施形態による、カートンのベース部分すなわちトレイ部分を形成するためのブランクの上方からの平面図である。
【図３】図１のブランクおよび図２のブランクから形成された部分的に組み立てられたカートンの上方からの斜視図である。
【図４】ディスプレイ装置への転換段階における、図１のブランクおよび図２のブランクから形成されたカートンの第１の端部部分の上方からの斜視図である。
【図５】ディスプレイ装置へのさらなる転換段階における、図１のブランクおよび図２のブランクから形成されたカートンの第２の端部部分の上方からの斜視図である。
【図６】ディスプレイ装置へと転換された、図１のブランクおよび図２のブランクから形成されたカートンの上方からの斜視図である。
【図７】本発明の第２の実施形態による、カートンのカバー部分すなわち蓋部分を形成するためのブランクの上方からの平面図である。
【図８】本発明の第２の実施形態による、カートンのベース部分すなわちトレイ部分を形成するためのブランクの上方からの平面図である。
【図９】本発明の第３の実施形態による、カートンのカバー部分すなわち蓋部分を形成するためのブランクの上方からの平面図である。
【図１０】本発明の第３の実施形態による、カートンのベース部分すなわちトレイ部分を形成するためのブランクの上方からの平面図である。
【図１１】本発明の第４の実施形態による、カートンのベース部分すなわちトレイ部分を形成するためのブランクの上方からの平面図である。
【図１２】図１１のブランクから形成されたカートンのベース部分すなわちトレイ部分の上方からの斜視図である。
【発明を実施するための形態】
【００２９】
本明細書においては、パッケージ、ブランク、およびカートンの具体的な実施形態の詳細な説明を開示する。開示される実施形態は、本発明のいくつかの態様を実装し得る方法の例に過ぎず、本発明を具現化し得る方法の全ての包括的な一覧を提示するものではない点が理解されよう。本明細書においては、「例示的な」という語は、例証、実例、モデル、またはパターンとしての役割を果たす実施形態を指すために包括的に使用される。実際に、本明細書に記載されるパッケージ、ブランク、およびカートンは、様々なおよび代替的な形態で具現化され得る点が理解されよう。図面は、必ずしも縮尺通りではなく、いくつかの特徴が、特定の構成要素の詳細を示すために誇張または矮小化される場合がある。周知の構成要素、材料、または方法は、本開示の不明瞭化を回避するために、必ずしも詳細には説明されない。本明細書において開示される任意の具体的な構造的詳細および機能的詳細は、限定的なものとして解釈されるべきではなく、特許請求の範囲の単なる根拠として、および本発明を多様に利用するために当業者に教示することを目的とした代表的な根拠と見なされるべきである。
【００３０】
図１を参照すると、瓶または缶（以降においては物品と呼ぶ）などの、しかしそれらに限定されない、１つまたは複数の一次製品を収容することが可能なカートンの第１のカバー部分すなわち蓋部分を形成するための第１のブランク１０Ａの平面図が示される。図２は、図４および図５に示すようなカートン９０の第２のベース部分すなわちトレイ部分を形成するための第２のブランク１０Ｂの平面図を示す。
【００３１】
本明細書において詳述される実施形態においては、「カートン」および「キャリア」という用語は、本発明の様々な特徴を示す非限定的な目的から、缶または瓶などの物品を係止、搬送、および／または分配するための容器を指す。しかし、本発明の教示は、テーパ状および／または円筒状であってもよくまたはなくてもよい、様々な容器に対して適用することができることが考えられる。他の例示的な物品には、瓶（例えば金属製、ガラス製、もしくはプラスチック製の瓶）、缶（例えばアルミニウム缶）、スズ製容器、ポーチ、およびパケット等々が含まれる。
【００３２】
ブランクは、適切な基材のシートから形成される。本明細書においては、「適切な基材」という用語は、板紙、段ボール、厚紙、プラスチック、およびそれらの組合せ等々の、全ての様式の折曲げ可能なシート材料を含む点を理解されたい。１つのまたは他の個数のブランクを、例えば以下において詳細に説明されるキャリア構造体を形成するために使用することができる点を、理解されたい。
【００３３】
図１〜図６の例示的な実施形態においては、ブランク１０Ａ、１０Ｂは、例示的な構成の例示的な物品を包装するためのカートンまたはキャリアを形成するように構成される。例えば、この構成は、２×４構成の物品などの、行および列からなるマトリクスである。代替的には、ブランク１０Ａ、１０Ｂは、他の物品および／または種々の構成の物品を包装するためのキャリアを形成するように構成され得る。
【００３４】
第１のブランク１０Ａは、カートン９０の上部パネルを形成するための主要パネル１２を備える。第１の上方端部パネル１８が、折り目１７により主要パネル１２の第１の端部に沿って主要パネル１２に対して結合される。第２の上方端部パネル２０が、折り目１９により、第１の端部の対向側の第２の端部に沿って主要パネル１２に対して結合される。第１の上方側部パネル１４が、折り目１３により主要パネル１２の第１の側部に沿って主要パネル１２に対して結合される。第２の上方側部パネル１６が、折り目１５により、第１の側部の対向側の第２の側部に沿って主要パネル１２に対して結合される。第１の上方側部パネル１４および第２の上方側部パネル１６は、第１の上方側部パネル１４および第２の上方側部パネル１６のそれぞれの自由側部エッジが主要パネル１２の第２の端部に向かって収束するような形状へとテーパ状になされる。第１の固定フラップ２４が、折り目２３により第１の上方側部パネル１４の端部エッジに沿って第１の上方側部パネル１４に対してヒンジ連結される。第２の固定フラップ２８が、折り目２７により第１の上方側部パネル１４の端部エッジに沿って第１の上方側部パネル１４に対してヒンジ連結される。第３の固定フラップ２２が、折り目２１により第２の上方側部パネル１６の端部エッジに沿って第２の上方側部パネル１６に対してヒンジ連結される。第４の固定フラップ２６が、折り目２５により第２の上方側部パネル１６の端部エッジに沿って第２の上方側部パネル１６に対してヒンジ連結される。
【００３５】
第１の上方端部パネル１８が、そこから切り取られることとなる第１の固定構造体Ｚ２を備える。第１の固定構造体Ｚ２は、第１の開封帯４２により第１の上方端部パネル１８に対して結合された第１の固定タブ４０を備える。第１の開封帯４２は、第１の上方端部パネル１８に対して第１の開封帯４２を結合する第１の脆弱切離しライン４３と、第１の開封帯４２に対して第１の固定タブ４０を結合する第２の脆弱切離しライン４１とを備える。第１の上方端部パネル１８は、第１の固定構造体Ｚ２の両端部に配設された第１の凹部４４および第２の凹部４６を備える。第１の凹部４４および第２の凹部４６は、第１の固定タブ４０が第１の開封帯４２のみにより第１の上方端部パネル１８に対して結合されるように、第１の上方端部パネル１８から第１の固定タブ４０を分離させる。第１の凹部４４および第２の凹部４６は、第１の開封帯４２が第１の脆弱切離しライン４３のみにより第１の上方端部パネル１８に対して結合されるように、第１の上方端部パネル１８から第１の開封帯４２の端部を分離させる。代替的な実施形態においては、凹部は、第１の固定タブ４０が第１の上方端部パネル１８から切離し可能になるように、切断ラインまたは他の切離しラインに置き換えられ得る点が理解されよう。
【００３６】
第２の上方端部パネル２０は、そこから切り取られることとなる第２の固定構造体Ｚ１を備える。第２の固定構造体Ｚ１は、第２の開封帯３２により第２の上方端部パネル２０に対して結合された第２の固定タブ３０を備える。第２の開封帯３２は、第２の上方端部パネル２０に対して第２の開封帯３２を結合する第１の脆弱切離しライン３３と、第２の開封帯３２に対して第２の固定タブ３０を結合する第２の脆弱切離しライン３１とを備える。第２の上方端部パネル２０は、第２の固定構造体Ｚ１の両端部に配設された第１の凹部３４および第２の凹部３６を備える。第１の凹部３４および第２の凹部３６は、第２の固定タブ３０が第２の開封帯３２のみにより第２の上方端部パネル２０に対して結合されるように、第２の上方端部パネル２０から第２の固定タブ３０を分離させる。第１の凹部３４および第２の凹部３６は、第２の開封帯３２が第１の脆弱切離しライン３３のみにより第２の上方端部パネル２０に対して結合されるように、第２の上方端部パネル２０から第２の開封帯３２の端部を分離させる。代替的な実施形態においては、凹部は、第２の固定タブ３０が第２の上方端部パネル２０から切離し可能になるように、切断ラインまたは他の切離しラインに置き換えられ得る点が理解されよう。
【００３７】
第１の開封帯４２および第２の開封帯３２は、それらが結合される第１の固定タブ４０および第２の固定タブ３０のそれぞれよりも幅が大きく、そのため、第１の開封帯４２および第２の開封帯３２のそれぞれの一方の端部が、第１の固定タブ４０および第２の固定タブ３０のそれぞれの一方の端部を越えて突出して、第１の開封帯４２および第２の開封帯３２により形成される取外し可能部分の引裂きを容易にするための係止タブを、第１の固定構造体Ｚ２および第２の固定構造体Ｚ１の一方の端部に形成する。他の実施形態においては、係止タブが、第１の固定構造体Ｚ２または第２の固定構造体Ｚ１の両端部に設けられてもよい。さらに他の実施形態においては、第１の開封帯４２および／または第２の開封帯３２は、それらが結合される第１の固定タブ４０または第２の固定タブ３０のそれぞれの幅寸法に等しい幅寸法を有してもよい。
【００３８】
第１の上方端部パネル１８は、カートン９０の全高さにわたり延在するように構成される。また、第１の上方端部パネル１８は、主要パネル１２に対して第１の上方端部パネル１８を結合する折り目１７の対向側に、自由端部エッジ４８を備える。自由端部エッジ４８は、第１の上方端部パネル１８を立たせ得る第１の上方端部パネル１８の脚部部分を部分的に画定する。
【００３９】
第１の上方側部パネル１４は、折り目２３により画定される第１の端部において、カートン９０の全高さにわたって延在するように構成される。また、第１の上方側部パネル１４の自由側部エッジの一部分４９が、第１の上方側部パネル１４を立たせ得る脚部部分を形成するように構成される。
【００４０】
第２の上方側部パネル１６は、折り目２１により画定される第１の端部において、カートン９０の全高さにわたって延在するように構成される。また、第２の上方側部パネル１６の自由側部エッジの一部分４９が、第２の上方側部パネル１６を立たせ得る脚部部分を形成するように構成される。
【００４１】
第２のブランク１０Ｂは、カートン９０のベースパネルを形成するための主要パネル６０を備える。第１の下方端部パネル６４が、折り目６３により主要パネル６０の第１の端部に沿って主要パネル６０に対して結合される。第２の下方端部パネル６２が、折り目６１により、第１の端部の対向側の第２の端部に沿って主要パネル６０に対して結合される。第１の下方側部パネル６８が、折り目６７により主要パネル６０の第１の側部に沿って主要パネル６０に対して結合される。第２の下方側部パネル６６が、折り目６５により、第１の側部の対向側の第２の側部に沿って主要パネル６０に対して結合される。第１の側部パネル６８および第２の側部パネル６６は、第１の側部パネル６８および第２の側部パネル６６のそれぞれの自由側部エッジが主要パネル６０の第１の端部に向かって収束するような形状へとテーパ状になされる。第１の固定フラップ７２が、折り目７３により第１の下方側部パネル６８の端部エッジに沿って第１の下方側部パネル６８に対してヒンジ連結される。第２の固定フラップ７４が、折り目７５により第１の下方側部パネル６８の端部エッジに沿って第１の下方側部パネル６８に対してヒンジ連結される。第３の固定フラップ７０が、折り目７１により第２の下方側部パネル６６の端部エッジに沿って第２の下方側部パネル６６に対してヒンジ連結される。第４の固定フラップ７６が、折り目７７により第２の下方側部パネル６６の端部エッジに沿って第２の下方側部パネル６６に対してヒンジ連結される。
【００４２】
第２の下方端部パネル６２は、カートン９０の全高さにわたって延在するように構成される。また、第２の下方端部パネル６２は、主要パネル６０に対して第２の下方端部パネル６２を結合する折り目６１の対向側に、自由端部エッジ８１を備える。自由端部エッジ８１は、第１のブランク１０Ａおよび第２のブランク１０Ｂがカートン９０へと構築される場合に主要パネル１２がその上に載り得るレッジを画定する。
【００４３】
第１の下方側部パネル６８は、折り目６７により画定される第１の端部においてカートン９０の全高さにわたって延在するように構成される。また、第１の下方側部パネル６８の自由側部エッジの一部分８０は、第１のブランク１０Ａおよび第２のブランク１０Ｂがカートン９０へと構築される場合に主要パネル１２がその上に載り得るレッジを形成するように構成される。
【００４４】
第２の下方側部パネル６６は、折り目６５により画定される第１の端部においてカートン９０の全高さにわたって延在するように構成される。また、第２の下方側部パネル６６の自由側部エッジの一部分８０は、第１のブランク１０Ａおよび第２のブランク１０Ｂがカートン９０へと構築される場合に主要パネル１２がその上に載り得るレッジを形成するように構成される。
【００４５】
図３、図４、図５、および図６に図示するようなカートンの構造を参照すると、カートンは、一連の連続的な直線折曲げ動作機械により形成され得るため、カートンは、その構築を完了するために回転または反転される必要はないことが予期される。この折曲げプロセスは、以下に説明されるものに限定されず、個々の製造要件にしたがって変更されてもよい。
【００４６】
カートン９０は、第１のブランク１０Ａを折り曲げてカバー部分１１Ａを形成し、第２のブランク１０Ｂを折り曲げてトレイ部分１１Ｂを形成することにより、形成される。第１のブランク１０Ａは、各折り目２３、２７を中心として折り曲げることにより第１の上方側部パネル１４に対して実質的に垂直になるように第１の固定フラップ２４および第２の固定フラップ２８を折り曲げることによって、カバー部分１１Ａへと形成される。第３の固定フラップ２２および第４の固定フラップ２６は、各折り目２１、２５を中心として折り曲げることにより第２の上方側部パネル１６に対して実質的に垂直になるように折り曲げられる。第１の上方側部パネル１４および第２の上方側部パネル１６は、各折り目１３、１５を中心として折り曲げることにより主要パネル１２に対して実質的に垂直になるように折り曲げられる。第１の上方端部パネル１８は、第１の固定フラップ２４および第３の固定フラップ２２と接触状態になるように折り目１７を中心として折り曲げられる。膠剤または他の適切な接着剤による処理が、第１の上方端部パネル１８を固定させるために施される。第２の上方端部パネル２０は、第２の固定フラップ２８および第４の固定フラップ２６と接触状態になるように折り目１９に沿って折り曲げられる。膠剤または他の適切な接着剤による処置が、第２の上方端部パネル２０を固定させるために施される。主要パネル１２は、上部パネルを形成し、第１の上方側部パネル１４および第２の上方側部パネル１６は、一対の対向し合う側部パネルを形成し、第１の上方端部パネル１８および第２の上方端部パネル２０は、一対の対向し合う端部パネルを形成する。カバー部分１１Ａは、一方の端部パネル２０が他方の端部パネル１８よりも高さが低くなるような形状へとテーパ状になされる。
【００４７】
第２のブランク１０Ｂは、各折り目７３、７５を中心として折り曲げることにより第１の下方側部パネル６８に対して実質的に垂直になるように第１の固定フラップ７２および第２の固定フラップ７４を折り曲げることによって、トレイ部分１１Ｂへと形成される。第３の固定フラップ７０および第４の固定フラップ７６は、各折り目７１、７７を中心として折り曲げることにより第２の下方側部パネル６６に対して実質的に垂直になるように折り曲げられる。第１の下方側部パネル６８および第２の下方側部パネル６６は、各折り目６７、６５を中心として折り曲げることにより主要パネル６０に対して実質的に垂直になるように折り曲げられる。第１の下方端部パネル６４は、第１の固定フラップ７２および第３の固定フラップ７０と接触状態になるように折り目６３を中心として折り曲げられる。膠剤Ｇまたは他の適切な接着剤による処理が、第１の下方端部パネル６４を固定させるために施される。第２の下方端部パネル６２は、第２の固定フラップ７４および第４の固定フラップ７６と接触状態になるように折り目６１を中心として折り曲げられる。膠剤Ｇまたは他の適切な接着剤による処理が、第２の下方端部パネル６２を固定させるために施される。主要パネル６０は、ベースパネルを形成し、第１の下方側部パネル６８および第２の下方側部パネル６６は、一対の対向し合う側部パネルを形成し、第１の下方端部パネル６４および第２の下方端部パネル６２は、一対の対向し合う端部パネルを形成する。トレイ部分１１Ｂは、一方の端部パネル６４が他方の端部パネル６２よりも高さが低くなるような形状へとテーパ状になされる。
【００４８】
トレイ部分１１Ｂは、２×４配列で構成された８つの物品Ｃを備える物品Ｃ群を装填される。代替的な実施形態においては、ブランク１０Ｂは、物品Ｃ群の周囲において組み立てられてもよい。
【００４９】
膠剤または他の適切な接着剤による処理が、図２および図３に示すように、第１の下方端部パネル６４および第２の下方端部パネル６２に対して施される。次いで、第１の固定タブ４０が第１の下方端部パネル６４に対して固定され、第２の固定タブ３０が第２の下方端部パネル６２に対して固定されるように、カバー部分１１Ａが、物品Ｃ群を覆って配置され、トレイ部分１１Ｂに対して固定される。折り目１９に隣接するまたは近接するカバー部分１１Ａの主要パネル１２の内側表面が、第２の下方端部パネル６２の自由エッジ８１の上に載る。折り目１３に隣接するまたは近接するカバー部分１１Ａの主要パネル１２の内側表面が、第１の下方側部パネル６８の自由エッジ８０の上に載る。折り目１５に隣接するまたは近接するカバー部分１１Ａの主要パネル１２の内側表面が、第２の下方側部パネル６６の自由エッジ８０の上に載る。このようにすることで、トレイ部分１１Ｂは、複数のカートン９０の相互に対する積み重ねを容易にする構造的支持部をカートン９０の一方の端部に形成する。カートン９０の他方の端部は、第１の上方端部パネル１８による、ならびにそれに隣接する第１の上方側部パネル１４および第２の上方側部パネル１６の部分による構造的支持部を備える。また、第１の上方端部パネル１８ならびに第１の上方側部パネル１４および第２の上方側部パネル１６の隣接する部分は、カートン９０の最下部からカートン９０の最上部まで延在する。好ましくは、第１の固定タブ４０および第１の開封帯４２は、第１の固定タブ４０の自由エッジが第１の上方端部パネル１８の自由エッジ４８と同一直線状に位置するように、構成される。
【００５０】
組み立てられたカートン９０は、重複関係に配設された内方パネル６２、６４および外方パネル１８、２０を備える複合壁部を備えることが理解されよう。好ましくは、内方パネル６２、６４は、トレイ部分１１Ｂにより形成され、外方パネル１８、２０は、カバー部分１１Ａにより形成される。代替的な実施形態においては、内方パネル６２、６４は、カバー部分１１Ａにより形成され、外方パネル１８、２０は、トレイ部分１１Ｂにより形成される。内方パネル６２、６４および外方パネル１８、２０は、第１の固定構造体Ｚ２および第２の固定構造体Ｚ１により部分的に形成されるジョイントによって平坦面接触関係において一体的に接合される。このジョイントは、外方パネル１８、２０の自由エッジに沿って画定された凹部３４／３６、４４／４６を備える。突出部３０／３２、４０／４２は、凹部３４／３６、４４／４６の下部エッジを形成する外方パネル１８、２０のエッジから延在して凹部エリアを少なくとも部分的に占める。また、突出部３０／３２、４０／４２は、内方パネル６２、６４の外方表面に対して固定される固定部分すなわち固定タブ３０、４０を備える。突出部３０／３２、４０／４２は、外方パネル１８、２０に対して固定タブ３０、４０を着脱自在に連結する取外し可能部分３２、４２をさらに備えることにより、固定タブ３０、４０は、取外し可能部分３２、４２が外方パネル１８、２０から取り外される場合に、外方パネル１８、２０から分離され得る。図示する実施形態においては、取外し可能部分３２、４２は、固定タブ３０、４０および外方パネル１８、２０の両方から脱着される。トレイ部分１１Ｂからカバー部分１１Ａを分離させるためには、第１の脆弱切離しライン３３、４３または第２の脆弱切離しライン３１、４１に沿って切り離すまたは引き裂くことにより、各固定タブ３０、４０または各外方パネル１８、２０のいずれかから取外し可能部分３２、４２を切り離すことのみが必要となる点が理解されよう。
【００５１】
次に図４〜図６を参照すると、カートンの中身に対するアクセスは、図４に示すような第１の開封帯４２の、および図５に示すような第２の開封帯３２の取外しにより、得ることができる。次いで、カバー部分１１Ａは、トレイ部分１１Ｂから引き上げて外すことが可能となる。トレイ部分１１Ｂは、物品Ｃ用のディスプレイ装置を形成するために、店頭販売時には棚または他の適切な表面の上に配置することが可能となる。この場合には、消費者は、トレイ部分１１Ｂから１つまたは複数の物品Ｃを取り出すことができる。
【００５２】
第１の開封帯４２および第２の開封帯３２が取り外されると、隙間Ｖが、各外方パネル１８、２０と各取外し可能部分すなわち分離可能部分３２、４２との間に形成される。この隙間Ｖは、ユーザによるカバー部分１１Ａの取外しを助長し、ユーザは、凹部３４／３６、４４／４６により画定される外方パネル１８、２０のエッジに係合することができる。
【００５３】
次に図７および図８を参照すると、本発明の代替的な一実施形態が図示される。この第２の図示される実施形態においては、それらの特徴が第２の実施形態に属するものであることを表す「１００」が頭に加えられるものの、可能な場合には同様の数字が同様のパーツを表すために使用されている。第２の実施形態は、第１の実施形態との間で多数の共通特徴を共有しており、したがって、図１〜図６に図示する実施形態と異なる部分のみが、詳細に説明される。
【００５４】
図７は、カートン（図示せず）の上部パネルを形成するための主要パネル１１２を備える第１のブランク１１０Ａを示す。第１の上方端部パネル１１８が、折り目１１７により主要パネル１１２の第１の端部に沿って主要パネル１１２に対して結合される。第２の上方端部パネル１２０が、折り目１１９により、第１の端部の対向側の第２の端部に沿って主要パネル１１２に対して結合される。第１の上方側部パネル１１４が、折り目１１３により主要パネル１１２の第１の側部に沿って主要パネル１１２に対して結合される。第２の上方側部パネル１１６が、折り目１１５により、第１の側部の対向側の第２の側部に沿って主要パネル１１２に対して結合される。第１の固定フラップ１２４が、折り目１２３により第１の上方側部パネル１１４の端部エッジに沿って第１の上方側部パネル１１４に対してヒンジ連結される。第２の固定フラップ１２８が、折り目１２７により第１の上方側部パネル１１４の端部エッジに沿って第１の上方側部パネル１１４に対してヒンジ連結される。第３の固定フラップ１２２が、折り目１２１により第２の上方側部パネル１１６の端部エッジに沿って第２の上方側部パネル１１６に対してヒンジ連結される。第４の固定フラップ１２６が、折り目１２５により第２の上方側部パネル１１６の端部エッジに沿って第２の上方側部パネル１１６に対してヒンジ連結される。
【００５５】
第１の上方側部パネル１１４は、そこから切り取られることとなる第１の固定構造体を備える。第１の固定構造体は、第１の開封帯１５２ａにより第１の上方側部パネル１１４に対して結合された第１の固定タブ１５０ａを備える。第１の開封帯１５２ａは、第１の上方側部パネル１１４に対して第１の開封帯１５２ａを結合する第１の脆弱切離しライン１５３ａと、第１の開封帯１５２ａに対して第１の固定タブ１５０ａを結合する第２の脆弱切離しライン１５１ａとを備える。第１の上方側部パネル１１４は、第１の固定構造体の一方の端部に配設された第１の凹部１５４ａを備える。第１の凹部１５４ａは、第１の固定タブ１５０ａが第１の開封帯１５２ａのみにより第１の上方側部パネル１１４に対して結合されるように、第１の上方側部パネル１１４から第１の固定タブ１５０ａを分離させる。第１の凹部１５４ａは、第１の開封帯１５２ａが第１の脆弱切離しライン１５３ａのみにより第１の上方側部パネル１１４に対して結合されるように、第１の上方側部パネル１１４から第１の開封帯１５２ａの端部を分離させる。代替的な実施形態においては、第１の凹部１５４ａは、第１の固定タブ１５０ａが第１の上方側部パネル１１４から切離し可能になるように、切断ラインまたは他の切離しラインに置き換えられ得る点が理解されよう。
【００５６】
第１の開封帯１５２ａは、主要パネル１１２に対して第１の上方側部パネル１１４を結合する折り目１１３に対して実質的に平行になるように構成される。第１の開封帯１５２ａおよび固定タブ１５０ａは、一部分が第１の上方側部パネル１１４から突出するように構成される。これにより、第１の開封帯１５２ａの端部と、第１の上方側部パネル１１４を越えて突出する第１の固定タブ１５０ａの端部とが、第１の上方側部パネル１１４に対する連結から自由になることが可能となる。他の実施形態においては、第１の固定構造体は、第１の上方側部パネル１１４内から完全に切り取られてもよく、その場合には、凹部または切断ラインは、第１の上方側部パネル１１４から第１の開封帯１５２ａおよび第１の固定タブ１５０ａの両方の端部を分離させることが必要となる。これは、第１の開封帯１５２ａと折り目１１３により近い第１の固定タブ１５０ａとを移動させることにより実現され得る。また、第１の固定構造体の各端部における凹部または切断ラインは、異なる寸法のものとなることが理解されよう。さらに他の実施形態においては、第１の開封帯１５２ａおよび第１の固定タブ１５０ａは、それらが第１の上方側部パネル１１４から突出しないように、形状設定されてもよく、例えば、第１の開封帯１５２ａは、面取りされた端部エッジを備えてもよい。また、第１の固定タブ１５０ａは、実質的に三角形の形状となるように、面取りされた端部エッジを備えてもよい。他の形状を利用し得ることが理解されよう。
【００５７】
第２の上方側部パネル１１６は、そこから切り取られることとなる第２の固定構造体を備える。第２の固定構造体は、第２の開封帯１５２ｂにより第２の上方側部パネル１１６に対して結合された第２の固定タブ１５０ｂを備える。第２の開封帯１５２ｂは、第２の上方側部パネル１１６に対して第２の開封帯１５２ｂを結合する第１の脆弱切離しライン１５３ｂと、第２の開封帯１５２ｂに対して第２の固定タブ１５０ｂを結合する第２の脆弱切離しライン１５１ｂとを備える。第２の上方側部パネル１１６は、第２の固定構造体の一方の端部に配設された第２の凹部１５４ｂを備える。第２の凹部１５４ｂは、第２の固定タブ１５０ｂが第２の開封帯１５２ｂのみにより第２の上方側部パネル１１６に対して結合されるように、第２の上方側部パネル１１６から第２の固定タブ１５０ｂを分離させる。第２の凹部１５４ｂは、第２の開封帯１５２ｂが第１の脆弱切離しライン１５３ｂのみにより第２の上方側部パネル１１６に対して結合されるように、第２の上方側部パネル１１６から第２の開封帯１５２ｂの端部を分離させる。代替的な実施形態においては、第２の凹部１５４ｂは、第２の固定タブ１５０ｂが第２の上方側部パネル１１６から切離し可能になるように、切断ラインまたは他の切離しラインに置き換えられ得る点が理解されよう。
【００５８】
第２の開封帯１５２ｂは、主要パネル１１２に対して第２の上方側部パネル１１６を結合する折り目１１５に対して実質的に平行になるように構成される。第２の開封帯１５２ｂおよび第２の固定タブ１５０ｂは、一部分が第２の上方側部パネル１１６から突出するように構成される。これにより、第２の開封帯１５２ｂの端部と第２の上方側部パネル１１６を越えて突出する第２の固定タブ１５０ｂの端部とが、第２の上方側部パネル１１６に対する連結から自由になることが可能となる。他の実施形態においては、第２の固定構造体は、第２の上方側部パネル１１６内から完全に切り取られてもよく、その場合には、凹部または切断ラインは、第２の上方側部パネル１１６から第２の開封帯１５２ｂおよび第２の固定タブ１５０ｂの両方の端部を分離させることが必要となる。これは、第２の開封帯１５２ｂと折り目１１５により近い第２の固定タブ１５０ｂとを移動させることにより実現され得る。第２の固定構造体の各端部における凹部または切断ラインは、異なる寸法のものとなることが理解されよう。さらに他の実施形態においては、第２の開封帯１５２ｂおよび第２の固定タブ１５０ｂは、それらが第２の上方側部パネル１１６から突出しないように、形状設定されてもよく、例えば、第２の開封帯１５２ｂは、面取りされた端部エッジを備えてもよい。また、第２の固定タブ１５０ｂは、実質的に三角形の形状となるように、面取りされた端部エッジを備えてもよい。他の形状を利用し得ることが理解されよう。
【００５９】
図８は、カートン（図示せず）のベースパネルを形成するための主要パネル１６０を備える第２のブランク１１０Ｂを示す。第１の下方端部パネル１６４が、折り目１６３により主要パネル１６０の第１の端部に沿って主要パネル１６０に対して結合される。第２の下方端部パネル１６２が、折り目１６１により、第１の端部の対向側の第２の端部に沿って主要パネル１６０に対して結合される。第１の下方側部パネル１６８が、折り目１６７により主要パネル１６０の第１の側部に沿って主要パネル１６０に対して結合される。第２の下方側部パネル１６６が、折り目１６５により、第１の側部の対向側の第２の側部に沿って主要パネル１６０に対して結合される。第１の固定フラップ１７２が、折り目１７３により第１の下方側部パネル１６８の端部エッジに沿って第１の下方側部パネル１６８に対してヒンジ連結される。第２の固定フラップ１７４が、折り目１７５により第１の下方側部パネル１６８の端部エッジに沿って第１の下方側部パネル１６８に対してヒンジ連結される。第３の固定フラップ１７０が、折り目１７１により第２の下方側部パネル１６６の端部エッジに沿って第２の下方側部パネル１６６に対してヒンジ連結される。第４の固定フラップ１７６が、折り目１７７により第２の下方側部パネル１６６の端部エッジに沿って第２の下方側部パネル１６６に対してヒンジ連結される。
【００６０】
膠剤Ｇまたは他の接着剤による処理が、第１の下方側部パネル１６８または第２の下方側部パネル１６６のそれぞれとの間における第１の固定タブ１５０ａおよび第２の固定タブ１５０ｂの重複領域に合致するように設定された位置において、第１の下方側部パネル１６８および第２の下方側部パネル１６６のそれぞれに対して施される。
【００６１】
次に図９および図１０を参照すると、本発明の代替的な一実施形態が図示される。この第３の図示される実施形態においては、それらの特徴が第３の実施形態に属するものであることを表す「２００」が頭に加えられるものの、可能な場合には同様の数字が同様のパーツを表すために使用されている。第３の実施形態は、第１の実施形態および第２の実施形態との間で多数の共通特徴を共有しており、したがって、図１〜図８に図示する実施形態と異なる部分のみが、詳細に説明される。
【００６２】
図９は、カートン（図示せず）の上部パネルを形成するための主要パネル２１２を備える第１のブランク２１０Ａを示す。第１の上方端部パネル２１８が、折り目２１７により主要パネル２１２の第１の端部に沿って主要パネル２１２に対して結合される。第２の上方端部パネル２２０が、折り目２１９により、第１の端部の対向側の第２の端部に沿って主要パネル２１２に対して結合される。第１の上方側部パネル２１４が、折り目２１３により主要パネル２１２の第１の側部に沿って主要パネル２１２に対して結合される。第２の上方側部パネル２１６が、折り目２１５により、第１の側部の対向側の第２の側部に沿って主要パネル２１２に対して結合される。第１の固定フラップ２２４が、折り目２２３により第１の上方側部パネル２１４の端部エッジに沿って第１の上方側部パネル２１４に対してヒンジ連結される。第２の固定フラップ２２８が、折り目２２７により第１の上方側部パネル２１４の端部エッジに沿って第１の上方側部パネル２１４に対してヒンジ連結される。第３の固定フラップ２２２が、折り目２２１により第２の上方側部パネル２１６の端部エッジに沿って第２の上方側部パネル２１６に対してヒンジ連結される。第４の固定フラップ２２６が、折り目２２５により第２の上方側部パネル２１６の端部エッジに沿って第２の上方側部パネル２１６に対してヒンジ連結される。
【００６３】
第１の上方側部パネル２１４は、そこから切り取られることとなる第１の固定構造体を備える。第１の固定構造体は、第１の開封帯２５２ａにより第１の上方側部パネル２１４に対して結合された第１の固定タブ２５０ａを備える。第１の開封帯２５２ａは、第１の上方側部パネル２１４に対して第１の開封帯２５２ａを結合する第１の脆弱切離しライン２５３ａと、第１の開封帯２５２ａに対して第１の固定タブ２５０ａを結合する第２の脆弱切離しライン２５１ａとを備える。
【００６４】
第１の上方側部パネル２１４は、第１の固定構造体の両端部に配設された第１の凹部２５４ａおよび第２の凹部２５６ａを備える。第１の凹部２５４ａおよび第２の凹部２５６ａは、第１の固定タブ２５０ａが第１の開封帯２５２ａのみにより第１の上方側部パネル２１４に対して結合されるように、第１の上方側部パネル２１４から第１の固定タブ２５０ａを分離させる。第１の凹部２５４ａおよび第２の凹部２５６ａは、第１の開封帯２５２ａが第１の脆弱切離しライン２５３ａのみにより第１の上方側部パネル２１４に対して結合されるように、第１の上方側部パネル２１４から第１の開封帯２５２ａの端部を分離させる。代替的な実施形態においては、第１の凹部２５４ａおよび／または第２の凹部２５６ａは、第１の固定タブ２５０ａが第１の上方側部パネル２１４から切離し可能となるように、切断ラインまたは他の切離しラインに置き換えられ得る点が理解されよう。
【００６５】
第１の開封帯２５２ａは、第１の上方側部パネル２１４の自由エッジに対して実質的に平行になるように構成される。第１の開封帯２５２ａは、第１の開封帯２５２ａが主要パネル２１２に対して収束方向に構成されるように、主要パネル２１２に対して第１の上方側部パネル２１４を結合する折り目２１３に対してある角度を成して配設される。第１の開封帯２５２ａおよび固定タブ２５０ａは、第１の上方側部パネル２１４内から切り取られるように構成される。これにより、第１の固定タブ２５０ａの端部エッジは、主要パネル２１２に対して第１の上方側部パネル２１４を結合する折り目２１３の実質的に対向側に位置する第１の上方側部パネル２１４の自由エッジと同一直線状に位置することが可能となる。
【００６６】
第２の上方側部パネル２１６は、そこから切り取られることとなる第２の固定構造体を備える。第２の固定構造体は、第２の開封帯２５２ｂにより第２の上方側部パネル２１６に対して結合された第２の固定タブ２５０ｂを備える。第２の開封帯２５２ｂは、第２の上方側部パネル２１６に対して第２の開封帯２５２ｂを結合する第２の脆弱切離しライン２５３ｂと、第２の開封帯２５２ｂに対して第２の固定タブ２５０ｂを結合する第２の脆弱切離しライン２５１ｂとを備える。第２の上方側部パネル２１６は、第２の固定構造体の両端部に配設された第２の凹部２５４ｂおよび第２の凹部２５６ｂを備える。第２の凹部２５４ｂおよび第２の凹部２５６ｂは、第２の固定タブ２５０ｂが第２の開封帯２５２ｂのみにより第２の上方側部パネル２１６に対して結合されるように、第２の上方側部パネル２１６から第２の固定タブ２５０ｂを分離させる。第２の凹部２５４ｂおよび第２の凹部２５６ｂは、第２の開封帯２５２ｂが第２の脆弱切離しライン２５３ｂのみにより第２の上方側部パネル２１６に対して結合されるように、第２の上方側部パネル２１６から第２の開封帯２５２ｂの端部を分離させる。代替的な実施形態においては、第２の凹部２５４ｂおよび／または第２の凹部２５６ｂは、第２の固定タブ２５０ｂが第２の上方側部パネル２１６から切離し可能となるように、切断ラインまたは他の切離しラインに置き換えられ得る点が理解されよう。
【００６７】
第２の開封帯２５２ｂは、第２の上方側部パネル２１６の自由エッジに対して実質的に平行になるように構成される。また、第２の開封帯２５２ｂは、第２の開封帯２５２ｂが主要パネル２１２に対して収束方向に構成されるように、主要パネル２１２に対して第２の上方側部パネル２１６を結合する折り目２１５に対してある角度を成して配設される。第２の開封帯２５２ｂおよび第２の固定タブ２５０ｂは、第２の上方側部パネル２１６内から切り取られるように構成される。これにより、第２の固定タブ２５０ｂの端部エッジは、主要パネル２１２に対して第２の上方側部パネル２１６を結合する折り目２１５の実質的に対向側に位置する第２の上方側部パネル２１６の自由エッジと同一直線状に位置することが可能となる。
【００６８】
図１０は、カートン（図示せず）のベースパネルを形成するための主要パネル２６０を備える第２のブランク２１０Ｂを図示する。第１の下方端部パネル２６４が、折り目２６３により主要パネル２６０の第１の端部に沿って主要パネル２６０に対して結合される。第２の下方端部パネル２６２が、折り目２６１により、第１の端部の対向側の第２の端部に沿って主要パネル２６０に対して結合される。第１の下方側部パネル２６８が、折り目２６７により主要パネル２６０の第１の側部に沿って主要パネル２６０に対して結合される。第２の下方側部パネル２６６が、折り目２６５により、第１の側部の対向側の第２の側部に沿って主要パネル２６０に対して結合される。第１の固定フラップ２７２が、折り目２７３により第１の下方側部パネル２６８の端部エッジに沿って第１の下方側部パネル２６８に対してヒンジ連結される。第２の固定フラップ２７４が、折り目２７５により第１の下方側部パネル２６８の端部エッジに沿って第１の下方側部パネル２６８に対してヒンジ連結される。第３の固定フラップ２７０が、折り目２７１により第２の下方側部パネル２６６の端部エッジに沿って第２の下方側部パネル２６６に対してヒンジ連結される。第４の固定フラップ２７６が、折り目２７７により第２の下方側部パネル２６６の端部エッジに沿って第２の下方側部パネル２６６に対してヒンジ連結される。
【００６９】
膠剤Ｇまたは他の接着剤による処理が、第１の下方側部パネル２６８または第２の下方側部パネル２６６のそれぞれとの間における第１の固定タブ２５０ａおよび第２の固定タブ２５０ｂの重複領域に合致するように設定された位置において、第１の下方側部パネル２６８および第２の下方側部パネル２６６のそれぞれに対して施される。この実施形態においては、膠剤領域Ｇは、第１の下方側部パネル２６８または第２の下方側部パネル２６６の自由端エッジに対して平行に構成される。
【００７０】
次に図１１および図１２を参照すると、本発明の代替的な実施形態が図示される。この第４の図示される実施形態においては、それらの特徴が第４の実施形態に属するものであることを表す「３００」が頭に加えられるものの、可能な場合には同様の数字が同様のパーツを表すために使用されている。第４の実施形態は、第１の実施形態との間で多数の共通特徴を共有しており、したがって、図１〜図６に図示する実施形態と異なる部分のみが、詳細に説明される。
【００７１】
図１１は、カートン（図示せず）のベースパネルを形成するための主要パネル３６０を備える第２のブランク３１０Ｂを図示する。第１の下方端部パネル３６４が、折り目３６３により主要パネル３６０の第１の端部に沿って主要パネル３６０に対して結合される。第２の下方端部パネル３６２が、折り目３６１により、第１の端部の対向側の第２の端部に沿って主要パネル３６０に対して結合される。第１の下方側部パネル３６８が、折り目３６７により主要パネル３６０の第１の側部に沿って主要パネル３６０に対して結合される。第２の下方側部パネル３６６が、折り目３６５により、第１の側部の対向側の第２の側部に沿って主要パネル３６０に対して結合される。
【００７２】
第１の固定フラップ３７２が、折り目３７３により第１の下方側部パネル３６８の端部エッジに沿って第１の下方側部パネル３６８に対してヒンジ連結される。第２の固定フラップ３７０が、折り目３７１により第２の下方側部パネル３６６の端部エッジに沿って第２の下方側部パネル３６６に対してヒンジ連結される。
【００７３】
第３の固定フラップ３８６が、折り目３８７により第２の下方端部パネル３６２の第１の側部エッジに沿って第２の下方端部パネル３６２に対してヒンジ連結される。第４の固定フラップ３８４が、折り目３８５により第１の側部エッジの対向側の第２の側部エッジに沿って第２の下方端部パネル３６２に対してヒンジ連結される。
【００７４】
補強部材３９２が、折り目３９３により端部エッジに沿って第２の下方側部パネル３６２に対して結合される。第１の膠剤タブ３８２が、折り目３８３により第１の下方側部パネル３６８の側部エッジの一部分に沿って第１の下方側部パネル３６８に対して結合される。第２の膠剤タブ３８８が、折り目３８９により第２の下方側部パネル３６６の側部エッジの一部分に沿って第２の下方側部パネル３６６に対して結合される。第１の膠剤タブ３８２および第２の膠剤タブ３８８は、組み立てられた状況にある場合には補強部材３９２に対して固定可能になるように構成される。
【００７５】
第２のブランク３１０Ｂは、図１２に図示するようなトレイ部分３１１Ｂを形成する。このトレイ部分３１１Ｂは、３×４配列で構成された１２個の物品Ｃを収容するように構成される。補強部材３９２は、最端部行の物品Ｃを部分的に越えて延在し、構造的支持を与え、トレイ部分３１１Ｂの剛性を向上させる。図１２に図示されるトレイ部分３１１Ｂは、図３に図示されるものなどのカバー部分１１Ａと共に使用され得ることが予期される。その場合には、ブランク１０Ａは、３×４配列の物品を収容するように構成され、第１の下方端部パネル３６４および第２の下方端部パネル３６２は、カバー部分１１Ａを固定するための膠剤または他の接着剤による処理を施される。
【００７６】
ブランク３１０Ｂは、各折り目３７１、３７３を中心として折り曲げることにより第１の下方側部パネル３６８または第２の下方側部パネル３６６のそれぞれに対して実質的に垂直になるように第１の固定フラップ３７２および第２の固定フラップ３７０を折り曲げることによって、トレイ部分３１１Ｂへと構築される。
【００７７】
第３の固定フラップ３８６および第４の固定フラップ３８４は、各折り目３８７、３８５を中心として折り曲げることにより第２の下方端部パネル３６２に対して実質的に垂直になるように折り曲げられる。
【００７８】
第２の下方端部パネル３６２は、主要パネル３６０に対して実質的に垂直になるように折り目３６１を中心として折り曲げられる。
【００７９】
第１の下方側部パネル３６８および第２の下方側部パネル３６６は、各折り目３６７、３６５を中心として折り曲げることにより主要パネル３６０に対して実質的に垂直になるように折り曲げられる。第１の下方側部パネル３６８および第２の下方側部パネル３６６は、第３の固定フラップ３８６および第４の固定フラップ３８４と接触状態に置かれる。膠剤Ｇまたは他の適切な接着剤による処理が、第２の下方端部パネル３６２を固定させるために施される。
【００８０】
第１の下方端部パネル３６４は、第１の固定フラップ３７２および第２の固定フラップ３７０と接触状態になるように折り目３６３を中心として折り曲げられる。膠剤Ｇまたは他の適切な接着剤による処理が、第１の下方端部パネル３６４を固定させるために施される。
【００８１】
第１の膠剤フラップ３８２および第２の膠剤フラップ３８８は、第１の下方側部パネル３６８または第２の下方側部パネル３６６のそれぞれに対して実質的に垂直になるように各折り目３８３、３８９を中心として折り曲げられる。補強部材３９２は、折り目３９３を中心として折り曲げられる。膠剤Ｇまたは他の適切な接着剤による処理が、第１の膠剤フラップ３８２および第２の膠剤フラップ３８８に対して補強部材を固定するために、第１の膠剤フラップ３８２および第２の膠剤フラップ３８８に対してまたは補強部材３９２の対応する領域に対して施される。
【００８２】
トレイ部分３１１Ｂは、補強部材３９２ならびに第１の膠剤フラップ３８２および第２の膠剤フラップ３８８が折り曲げられ共に固定される前または後のいずれかにおいて、物品Ｃで装填され得ることが予期される。他の実施形態においては、トレイ部分３１１Ｂは、物品Ｃ群の周囲において組み立てられてもよい。
【００８３】
様々な変更が本発明の範囲内においてなし得ることが理解されよう。例えば、パネルおよび開口のサイズならびに形状が、異なるサイズまたは形状の物品を収容するために調節されてもよい。本発明の実施形態においては、トレイ部分およびカバー部分が、それぞれ異なる材料から、またはそれぞれ異なる品質の材料から形成され得ることが予期される。例えば、トレイ部分が、外見上において注意を惹くディスプレイ装置を形成するために、高品質印刷される図に適した高品質被覆された板紙から形成されてもよい。カバー部分は、図を殆ど伴わないまたは図を全く印刷されない無被覆および／または波状の板紙から形成されてもよい。これは、例えば、処理を減少させ、コストを低下させ、より多量の再生材料の使用を可能にすることなどにより（それらに限定されないが）、経済的および／または環境的に有利となり得る。
【００８４】
本明細書においては、「上部」、「下部」、「前方」、「後方」、「端部」、「側部」、「内方」、「外方」、「上方」、および「下方」などの方向を指示する語は、かかる配向に対して各パネルを限定するものではなく、これらのパネル間において相互を識別する役割を果たすに過ぎない点が理解されよう。
【００８５】
本明細書においては、「ヒンジ連結」および「折り目」という用語は、ブランクのヒンジ特徴部を画定する、ブランクの部分同士の相互に対する折曲げを容易にする、またはブランクについての最適なパネル折曲げ位置を示唆する、あらゆる様式のラインを指す。折り目は、典型的には、ミシン目入りライン、エンボス加工ライン、またはデボス加工ラインである。「ヒンジ連結」または「折り目」への全ての言及は、単一の折り目のみを必ず指すとは解釈されるべきではなく、実際には、ヒンジ連結は、本発明の範囲から逸脱することなく、以下のもの、すなわち短スリット、脆弱ライン、または折り目の中の任意の１つまたは複数から形成され得ることが予期される。
【００８６】
本明細書においては、「切離しライン」という用語は、基材の部分同士の相互からの分離を容易にする、または最適な分離位置を示唆する、あらゆる様式のラインを指す。切離しラインは、易壊性のもしくは別様に脆弱なライン、引裂きライン、切断ライン、またはスリットであってもよい。
【００８７】
ヒンジ連結、切離しライン、および折り目はそれぞれ、穿孔、穿孔ライン、短スリットライン、半切断ライン、単一の半切断部、切断ライン、断続切断ライン、スリット、ミシン目、およびそれらの任意の組合せ等々を含む、ブランクの基材中に形成された要素を備えることが可能である点を理解されたい。これらの要素は、所望の機能性を実現するように寸法設定され構成され得る。例えば、穿孔ラインが、折り目および／または切離しラインを画定する程度の脆弱性を有するように寸法設定または設計され得る。穿孔ラインは、折曲げを容易にし破損を阻止するように、折曲げを容易にしより大きな労力による破損を助長するように、またはより小さな労力による破損を助長するように、設計され得る。
【符号の説明】
【００８８】
１０Ａ  第１のブランク
１０Ｂ  第２のブランク
１１Ａ  カバー部分
１１Ｂ  トレイ部分
１２  主要パネル
１３  折り目
１４  第１の上方側部パネル
１５  折り目
１６  第２の上方側部パネル
１７  折り目
１８  第１の上方端部パネル
１９  折り目
２０  第２の上方端部パネル
２１  折り目
２２  第３の固定フラップ
２３  折り目
２４  第１の固定フラップ
２５  折り目
２６  第４の固定フラップ
２７  折り目
２８  第２の固定フラップ
３０  第２の固定タブ
３１  第２の脆弱切離しライン
３２  第２の開封帯
３３  第１の脆弱切離しライン
３４  第１の凹部
３６  第２の凹部
４０  第１の固定タブ
４１  第２の脆弱切離しライン
４２  第１の開封帯
４３  第１の脆弱切離しライン
４４  第１の凹部
４６  第２の凹部
４８  自由端部エッジ
４９  自由側部エッジの一部分
６０  主要パネル
６１  折り目
６２  第２の下方端部パネル
６３  折り目
６４  第１の下方端部パネル
６５  折り目
６６  第２の下方側部パネル
６７  折り目
６８  第１の下方側部パネル
７０  第３の固定フラップ
７１  折り目
７２  第１の固定フラップ
７３  折り目
７４  第２の固定フラップ
７５  折り目
７６  第４の固定フラップ
７７  折り目
８０  自由側部エッジの一部分
８１  自由端部エッジ
９０  カートン
１１０Ａ  第１のブランク
１１０Ｂ  第２のブランク
１１２  主要パネル
１１３  折り目
１１４  第１の上方側部パネル
１１５  折り目
１１６  第２の上方側部パネル
１１７  折り目
１１８  第１の上方端部パネル
１１９  折り目
１２０  第２の上方端部パネル
１２１  折り目
１２２  第３の固定フラップ
１２３  折り目
１２４  第１の固定フラップ
１２５  折り目
１２６  第４の固定フラップ
１２７  折り目
１２８  第２の固定フラップ
１５０ａ  第１の固定タブ
１５０ｂ  第２の固定タブ
１５１ａ  第２の脆弱切離しライン
１５１ｂ  第２の脆弱切離しライン
１５２ａ  第１の開封帯
１５２ｂ  第２の開封帯
１５３ａ  第１の脆弱切離しライン
１５３ｂ  第１の脆弱切離しライン
１５４ａ  第１の凹部
１５４ｂ  第２の凹部
１６０  主要パネル
１６１  折り目
１６２  第２の下方端部パネル
１６３  折り目
１６４  第１の下方端部パネル
１６５  折り目
１６６  第２の下方側部パネル
１６７  折り目
１６８  第１の下方側部パネル
１７０  第３の固定フラップ
１７１  折り目
１７２  第１の固定フラップ
１７３  折り目
１７４  第２の固定フラップ
１７５  折り目
１７６  第４の固定フラップ
１７７  折り目
２１０Ａ  第１のブランク
２１０Ｂ  第２のブランク
２１２  主要パネル
２１３  折り目
２１４  第１の上方側部パネル
２１５  折り目
２１６  第２の上方側部パネル
２１７  折り目
２１８  第１の上方端部パネル
２１９  折り目
２２０  第２の上方端部パネル
２２１  折り目
２２２  第３の固定フラップ
２２３  折り目
２２４  第１の固定フラップ
２２５  折り目
２２６  第４の固定フラップ
２２７  折り目
２２８  第２の固定フラップ
２５０ａ  第１の固定タブ
２５０ｂ  第２の固定タブ
２５１ａ  第２の脆弱切離しライン
２５１ｂ  第２の脆弱切離しライン
２５２ａ  第１の開封帯
２５２ｂ  第２の開封帯
２５３ａ  第１の脆弱切離しライン
２５３ｂ  第２の脆弱切離しライン
２５４ａ  第１の凹部
２５４ｂ  第２の凹部
２５６ａ  第２の凹部
２５６ｂ  第２の凹部
２６０  主要パネル
２６１  折り目
２６２  第２の下方端部パネル
２６３  折り目
２６４  第１の下方端部パネル
２６５  折り目
２６６  第２の下方側部パネル
２６７  折り目
２６８  第１の下方側部パネル
２７０  第３の固定フラップ
２７１  折り目
２７２  第１の固定フラップ
２７３  折り目
２７４  第２の固定フラップ
２７５  折り目
２７６  第４の固定フラップ
２７７  折り目
３１０Ｂ  第２のブランク
３１１Ｂ  トレイ部分
３６０  主要パネル
３６１  折り目
３６２  第２の下方端部パネル
３６３  折り目
３６４  第１の下方端部パネル
３６５  折り目
３６６  第２の下方側部パネル
３６７  折り目
３６８  第１の下方側部パネル
３７０  第２の固定フラップ
３７１  折り目
３７２  第１の固定フラップ
３７３  折り目
３８２  第１の膠剤フラップ
３８３  折り目
３８４  第４の固定フラップ
３８５  折り目
３８６  第３の固定フラップ
３８７  折り目
３８８  第２の膠剤タブ
３８９  折り目
３９２  補強部材
３９３  折り目
【図１】
2014148357.tif 000003
【図２】
2014148357.tif 000004
【図３】
2014148357.tif 000005
【図４】
2014148357.tif 000006
【図５】
2014148357.tif 000007
【図６】
2014148357.tif 000008
【図７】
2014148357.tif 000009
【図８】
2014148357.tif 000010
【図９】
2014148357.tif 000011
【図１０】
2014148357.tif 000012
【図１１】
2014148357.tif 000013
【図１２】
2014148357.tif 000014
【外国語明細書】
2014148357000001.pdf